(57)【要約】堅牢なハンドヘルド型モバイル端末の設計を目的とするシステムおよび方法を提供する。このモバイル端末設計は、電子部品を収容するモノコック型エンクロージャを含む。電子部品は、エンクロージャの開端部を通ってエンクロージャの内側部分内に配置されるレールシステムに取り付けられる。このモバイル端末設計は、ディスプレイ用ベゼルを含む。このディスプレイ用ベゼルとレールシステムとに、このアセンブリを互いに固定するための接合部分を設ける。
2006512672.tif 000002
【特許請求の範囲】
【請求項１】
電子機器を取り付けたレールシステムと、
前記電子機器と前記レールシステムの大部分とを収容するモノコック型エンクロージャと
を含むことを特徴とするハンドヘルド型モバイル端末筐体。
【請求項２】
前記レールシステムを連結するための少なくとも１つのラッチを有するベゼルをさらに含むことを特徴とする請求項１に記載のハンドヘルド型モバイル端末筐体。
【請求項３】
前記ベゼルの前記少なくとも１つのラッチは実質的にＬ字型部材であることを特徴とする請求項２に記載のハンドヘルド型モバイル端末。
【請求項４】
前記レールシステムは、前記レールシステムの前記少なくとも１つのラッチと摺動自在に係合させるための少なくとも１つの対応切欠きを有することを特徴とする請求項２に記載のハンドヘルド型モバイル端末筐体。
【請求項５】
前記少なくとも１つのラッチ受け溝と前記少なくとも１つのラッチとは、前記モノコック型エンクロージャの内側部分内にて係合することを特徴とする請求項４に記載のハンドヘルド型モバイル端末筐体。
【請求項６】
前記レールシステムは、前記レールシステムの前記少なくとも１つのラッチと摺動自在に係合させるための少なくとも１つの対応口部を有することを特徴とする請求項２に記載のハンドヘルド型モバイル端末筐体。
【請求項７】
ディスプレイをさらに含むことを特徴とする請求項１に記載のハンドヘルド型モバイル端末筐体。
【請求項８】
前記ディスプレイは、前記ディスプレイとベゼルとの間にシールを設けるために、前記ディスプレイの周囲に配置されたガスケットを含むことを特徴とする請求項７に記載のハンドヘルド型モバイル端末筐体。
【請求項９】
請求項１に記載の前記筐体を用いることを特徴とする携帯情報端末。
【請求項１０】
請求項１に記載の前記筐体を用いることを特徴とする携帯電話。
【請求項１１】
請求項１に記載の前記筐体を用いることを特徴とする電子ゲーム。
【請求項１２】
請求項１に記載の前記筐体を用いることを特徴とするバーコードスキャナ。
【請求項１３】
実質的にワンピース型であるケーシングと、電子部品を受けるために前記ケーシングに形成された開端部とを含むことを特徴とするハンドヘルド型モバイル端末用モノコック型エンクロージャ。
【請求項１４】
対応ラッチを受けるために、前記ケーシング内に少なくとも１つの口部をさらに含むことを特徴とする請求項１３に記載のモノコック型エンクロージャ。
【請求項１５】
通信インターフェースへのアクセスを可能とするために、前記ケーシング内に開口をさらに含むことを特徴とする請求項１３に記載のモノコック型エンクロージャ。
【請求項１６】
金属で製造されることを特徴とする請求項１３に記載のモノコック型エンクロージャ。
【請求項１７】
プラスチックで製造されることを特徴とする請求項１３に記載のモノコック型エンクロージャ。
【請求項１８】
モバイル端末エンクロージャの内側部分内に配置されるように構成された第１の部分と、前記モバイル端末エンクロージャの外側部分に対応するように構成された第２の部分とを有する構造を含むことを特徴とするハンドヘルド型モバイル端末用レールシステム。
【請求項１９】
前記構造の前記第１の部分は、前記モバイル端末用電子部品をその上に取り付けて有することを特徴とする請求項１８に記載のレールシステム。
【請求項２０】
前記構造の前記第１の部分は、対応ラッチを受けるために、前記構造の側部に形成された少なくとも１つの切欠きを有することを特徴とする請求項１８に記載のレールシステム。
【請求項２１】
前記構造の前記第１の部分は、対応ラッチを受けるために、少なくとも１つの口部をそこに形成して有することを特徴とする請求項１８に記載のレールシステム。
【請求項２２】
電子機器を上に取り付けて有するレールシステムをモノコック型エンクロージャに連結させる工程と、
ディスプレイを前記レールシステムに連結させる工程と、
ベゼルを前記レールシステムに連結させて、前記ベゼルおよびレールシステムの接合部分を互いに前記モノコック型エンクロージャの内側部分内で係合させる工程と
を含むことを特徴とするハンドヘルド型モバイル端末筐体製造方法。
【発明の詳細な説明】
【技術分野】
【０００１】
本発明は概して、携帯型電子装置に関する。特に、本発明は、ハンドヘルド型モバイル端末の堅牢な設計を目的とするシステムおよび方法に関する。
【背景技術】
【０００２】
携帯情報端末（ＰＤＡ）などのハンドヘルド型モバイル端末（ｈａｎｄ  ｈｅｌｄ  ｍｏｂｉｌｅ  ｔｅｒｍｉｎａｌ）が、個人用およびビジネス用組織ツールとして広く受け入れられてきている。数多くのユーザがハンドヘルド型モバイル端末を毎日のように持ち歩いている。そのため、モバイル端末の筐体はいくつかの規準を満たすことが望ましい。まず、ハンドヘルド型モバイル端末用筐体は、美的外観に優れていなければならない。さらに、落下した場合にも内部電子機器を破損させさせないように堅牢でなければならない。モバイル端末が強力になるにつれ、筐体の強度を高める必要とその体積を最小限に抑える必要とが対立するため、電子機器の実装のために強度を高めることができない状態である。また、筐体を互いに保持するために用いるラッチ機構も、その体積を最小限に抑えつつ、筐体部品が外れないようにしっかりしたラッチシステムとなっていなければならない。
【０００３】
ハンドヘルド型モバイル端末は通常、中央処理装置（ＣＰＵ）ボード、ディスプレイ、キーボードおよび内部配線などの内部電気部品を、プラスチックまたは他の構造材料で製造した筐体内に封入することにより組み立てられる。そのエンクロージャは普通、上方筐体および下方筐体の２つの部品で形成される。この筐体の一方または両方に電子部品が取付けられ、これにサブフレームを使用する場合および使用しない場合がある。サブフレームを用いると構造全体にねじり剛性を付与することができる。ディスプレイ、および場合によって電池もこのエンクロージャ内に配置される。ディスプレイおよび電池は、落下時にＣＰＵボードに不当な衝撃荷重を与えかねない大きな質量を有する代表的なものである。
【発明の開示】
【発明が解決しようとする課題】
【０００４】
図１は、ハンドヘルド型モバイル端末用の従来型筐体１００を図示している。筐体１００は、上側１００と下側１２０とを含み、これらは電子機器（図示せず）を収容するように互いに固定される。ボス１３０が筐体１００内に具備されており、これに留め具１４０を挿入して筐体１００の両側を貫通させられるようになっている。留め具すなわちネジ１４０を筐体の下半分のボス１３０に挿入して貫通させてから、筐体の上半分に挿入および貫通させることにより、このアセンブリを互いに保持するために必要な型締め力とすることができる。しかし、こうした特徴要素は、これがなければ電気部品に使用できたはずの体積を占めてしまっている。したがって、ボス１３０を設けることで、筐体１００の体積効率は低下しているのである。
【０００５】
さらに、筐体１００内に収容する部品は、その組立にいくつかの製造工程が必要である。筐体１００を互いに固定する前に、ＣＰＵボード、ディスプレイおよび他の部品を筐体のサブフレームまたは他の何らかのサブフレームに組み立てなければならない。このような組立ステップがあると一般に、時間がかかる上、製造コストが高くなる。
【０００６】
また、従来の筐体アセンブリの場合、接合バンドにおいて筐体表面が不連続になっていることから、ねじり剛性が不十分である。したがって、落下時の変形および衝撃荷重で受ける応力がボス１３０に集中する。筐体の破損の原因が、変形および衝撃荷重応力によるボスの破損であることもよくある。
【課題を解決するための手段】
【０００７】
以下、本発明のいくつかの態様を基本的に理解できるよう、発明の概要を簡潔に提示する。この概略は本発明の広範な大要ではない。また、本発明の重要な構成要素または必要不可欠な構成要素を特定するものでも、本発明の範囲を限定するものでもない。以下の記述は、本発明のいくつかの概念を、明細書の後半でさらに詳細に説明するための前置きとして簡潔な形で提示することのみを目的としたものである。
【０００８】
本発明は、堅牢なハンドヘルド型モバイル端末の設計を目的とするシステムおよび方法を提供するものである。このモバイル端末は、モノコック型（ｍｏｎｏｃｏｑｕｅ）エンクロージャ、およびそのモノコック型エンクロージャ内に具備されたレールシステム（ｒａｉｌ  ｓｙｓｔｅｍ）を含む。レールシステムは、そこに取り付けられるモバイル端末を操作するための電子部品を有する。モノコック型エンクロージャが実質的にワンピース型キャビティであることから、ボスおよび／または留め具ハードウェアを設ける必要がない。このモバイル端末はまた、ディスプレイおよびディスプレイ用ベゼルを含む。ディスプレイ用ベゼルは、レールシステムに形成された少なくとも１つの切欠きおよび／または口部に対応する少なくとも１つのラッチ機構を含む。したがって、ディスプレイ用ベゼルおよびレールシステムから、ディスプレイ周囲に配置されたガスケットに有効な下向き力がかけられ、これが周囲シールを形成することになる。圧縮荷重がモノコック型エンクロージャの頂部表面に伝わる。レールシステムをさらに、留め機構（例えばネジ）を介してエンクロージャにしっかり固定することができる。本発明により、従来のモバイル端末筐体に対して、ねじり剛性が高い、組立が簡単である、体積効率が改良されている、ショック吸収材料の必要性が低い、全体重量が軽くなっている、衝撃荷重を分断している、応力集中を緩和しているなどの利点が得られる。
【０００９】
上記およびこれに関連する目的を達成するため、本発明は、以下に十分に記載し、かつ請求の範囲で特に指摘する特徴要素を含む。以下の説明および添付の図面は、本発明の特定例示態様を詳細に記載するものである。しかし、これらの態様は、本発明の原理を用いることのできるさまざまな方法のほんの数例を示しているにすぎず、本発明は、これらの態様ならびにその等価物のすべてを含むことを意図するものである。本発明の他の目的、利点および新規特徴は、図面を合わせて鑑みれば本発明の以下の詳細な説明から明らかになるであろう。
【発明を実施するための最良の形態】
【００１０】
本発明は、堅牢なハンドヘルド型モバイル端末の設計を目的とするシステムおよび方法に関する。本発明を、図面を参照しながら以下に説明する。図面では、全図面を通じて、同様の構成要素について同様の参照符号が付されている。種々の図面は、互いに拡大縮小することを目的に描いたものでも所与の図の内側を描いたものでもなく、具体的に言えば、部品のサイズは、図面を読み取りやすいように任意に描いたものであることを理解されたい。以下の説明では説明用に、本発明を完全に理解してもらうために数多くの具体的詳述を挙げるが、本発明がその具体的詳述に特定されることなく実施可能であることは明らかであろう。その他の例では、本発明を説明しやすくするために、周知の構造および装置をブロック形態で図示する。
【００１１】
まず図２を参照すると、堅牢なハンドヘルド型モバイル端末の設計を目的とするシステム２００が例示されている。ハンドヘルド型モバイル端末２００として、パームトップ（「掌サイズ」）型携帯コンピュータシステム、携帯電話、全地球測位システム（ＧＰＳ）、バーコードスキャナなどが当てはまる。ハンドヘルド型モバイル端末２００は、モノコック型エンクロージャ２１０と、レールシステム２２０と、ディスプレイ用ベゼル２３０とを含む。モノコック型エンクロージャ２１０は、電子部品の収納に用いられる実質的にワンピース型のケーシングである。電子部品はレールシステム２２０に取り付けられ、レールシステム２２０はモノコック型エンクロージャ２１０の内側部分内に配置される。このレールシステム２２０およびディスプレイ用ベゼル２３０は、接合部分を具備しており、これにより、レールシステム２２０およびディスプレイ用ベゼル２３０は、モノコック型エンクロージャ２１０、レールシステム２２０、およびディスプレイ用ベゼル２３０を定位置に固定するように動作可能となる。したがって、このハンドヘルド型モバイル端末筐体の組立時間は従来の設計に比べて短縮される。さらに、モノコック型エンクロージャ２１０には、接合バンドの位置に不連続部分がないため、モバイル端末筐体２００の剛性は、従来の筐体（例えば、筐体１００）に比べて高くなっている。
【００１２】
図３は、本発明の一態様による堅牢なハンドヘルド型モバイル端末３００の一例を例示したものである。モバイル端末３００が堅牢な設計になっているため、機械効率が改良され、端末３００の組立時間が短縮されている。モバイル端末３００は、モノコック型エンクロージャ３１０を含む。このエンクロージャ３１０が、ＣＰＵボードを収容し、モバイル端末３００の構造上の剛性を高めている。モノコック型エンクロージャ３１０を、金属、プラスチック、またはこの他のあらゆる適した構造材料で製造することが可能である。従来の筐体では必要であったボスおよび／または留め具ハードウェアは、モノコック型エンクロージャ３１０が実質的にワンピース型のケーシングであるため、本発明によるモバイル端末３００には不要である。したがって、不連続部分も応力集中の発生もなく、外部荷重をエンクロージャが支持することになる。これにより、モバイル端末３００の構造は、従来のツーピース型設計より剛体となる。
【００１３】
モノコック型エンクロージャ３１０は、電子部品３２５を受ける開端部３１５を含む。電子部品３２５の例として、コンピュータシステム機能を実行するための電子機器および論理（例えば、メモリ、通信バス、および処理装置）を含むＰＣボードが挙げられる。開端部３１５をモノコック型エンクロージャ３１０の頂部に位置するように例示しているが、この開端部３１５を、底部や側部など、モノコック型エンクロージャ３１０のいずれの部分に配置してもよいことを理解されたい。別の開口３２７もモノコック型エンクロージャ３１０に設けられており、これにより、通信インターフェース（図示せず）へのアクセスが可能となる。例えば、この通信インターフェースを、シリアル通信ポートおよび／または他の適した通信標準および／またはプロトコル、例えば並列、ＳＣＳＩ、ファイアワイヤ（ＩＥＥＥ１３９４）、イーサネット（登録商標）（商標：Ｅｔｈｅｒｎｅｔ（登録商標））などとすることができる。同様に、通信インターフェース用開口もエンクロージャのどこに配置してもよく、これも本発明の範囲内として見なすものとする。モノコック型エンクロージャ３１０はさらに、以下でより詳しく説明するように、対応ラッチ部材を受ける少なくとも１つのラッチ受け口部３１７を含む。図３では、モノコック型エンクロージャ３１０表面の両側にそれぞれ３つのラッチ受け口部３１７を図示しているが、エンクロージャ３１０のどこに、いくつのラッチ受け口部を設けてもよいことを理解されたい。
【００１４】
ハンドヘルド型モバイル端末３００はまた、モバイル端末３００の内側部品に対するサブフレームとして、ならびに、モバイル端末３００のアセンブリ基幹として機能するレールシステム３２０を含む。ハンドヘルド型モバイル端末３００の回路構成要素３２５が、レールシステム３２０に接続されており、このいくつかはＰＣボード上で実行することが可能である。処理装置、リードオンリーメモリ（ＲＯＭ）、ランダムアクセスメモリ（ＲＡＭ）、およびバスで、モバイル端末３００用プラットフォームを形成することができる。例えば、回路構成要素３２５に、情報通信用のアドレス／データバス、情報および指示を処理するためにこのバスに接続される中央処理装置、中央処理装置に向けて情報および指示を格納するためにバスに接続される揮発性メモリ（例えば、ランダムアクセスメモリＲＡＭ）、および中央処理装置に向けて情報および指示を格納するためにバスに接続される非揮発性メモリ（例えば、リードオンリーメモリＲＯＭ）を含めることが可能である。モバイル端末３００にはまた、情報および指示を格納するためにバスに接続されるオプションのデータ格納装置（例えば、メモリスティック）を含めることができる。レールシステム３２０は、エンクロージャ３１０の底部から張力として作用するネジ３６０またはこの他のあらゆる適した留め具により、エンクロージャ３１０に固定される。
【００１５】
ハンドヘルド型モバイル端末３００にはまた、情報をユーザに表示するためのディスプレイ３４５も含まれる。ディスプレイ３４５は、タッチスクリーンでよく、これに、容量式、抵抗タッチ式、赤外線式、表面弾性波式、または接地弾性波式（ｇｒｏｕｎｄｅｄ  ａｃｏｕｓｔｉｃ  ｗａｖｅ）技術を用いることができる。さらに、ディスプレイ３４５を、液晶装置、陰極線管（ＣＲＴ）、電界放出装置（ＦＥＤ、フラットパネルＣＲＴとも呼ばれる）、または、ユーザが認識できるグラフィック画像および英数字の形成に適した他のディスプレイ装置とすることができる。モバイル端末３００にはまた、任意の英数字入力装置（図示せず）を含めることができる。例えば、この入力装置を、情報およびコマンド選択肢を中央処理装置に通信する手書き認識パッド（「ディジタイザ」）とすることができる。端末３００に、ユーザによる入力情報およびコマンド選択肢を中央処理装置に通信するためにバスに接続された任意のカーソル制御装置または指示装置を含めることができる。
【００１６】
ディスプレイ３４５は、ベゼル（ｂｅｚｅｌ）すなわちカバー３４０の開口３５０に対応している。ベゼル３４０には、キーボード、および／または情報を選択してモバイル端末３００に機能を実行させるプログラム可能ボタン用に、１つまたは複数の開口３５５が設けられている。ベゼル３４０には、少なくとも１つのラッチ３３５が形成されて、ベゼル３４０をハンドヘルド型モバイル端末３００に固定できるようになっている。このラッチ３３５は、レールシステム３２０に形成された少なくとも１つの切欠きおよび／または口部３３０に対応するものである。例えば、図３に示すように、ラッチ３３５を実質的にＬ字型部材とし、切欠きおよび／または口部３３０を、レールシステム３２０の側部に形成した開いた切欠きにすることができる。別法として、切欠きおよび／または口部３３０を、開口またはスロットとしてレールシステム３２０に形成することも可能である。複数のＬ字型部材を、レールシステムに設けた複数の対応する切欠きおよび／または口部と摺動自在に係合させることができる。したがって、レールシステム３２０がエンクロージャ３１０内に配置すると、Ｌ字型部材３３５と切欠きおよび／または口部３３０とが係合するため、これによりベゼル３４０がモノコック型エンクロージャ３１０に向けて効果的に引き寄せられる。ベゼル３４０をレールシステム３２０に連結するのに適した他のあらゆる機構も使用可能であり、これも本発明の範囲内と見なすものであることを理解されたい。
【００１７】
ラッチ（１つまたは複数）と切欠き（１つまたは複数）および／または口部（１つまたは複数）との間を係合させることでベゼル３４０を定位置に固定すると、下向きの力がガスケット（図示せず）にかかる。これにより、ベゼル３４０とディスプレイ３４５との間がシールされる。ガスケットは、ベゼル３４０に設けたディスプレイ開口３５０の周囲および／またはディスプレイ３４５自体の周囲に設けられ、汚染物をよけるために使用できるものである。これがないと、汚染物が外部からモバイル端末アセンブリに侵入して、モバイル端末３００の性能に影響を与えかねない。ガスケットの材料としては、ゴム、発泡体、または、モバイル端末３００のアセンブリを十分にシールするように機能する他のエラストマーが使用可能である。このシールにより、埃および他の汚染物がモバイル端末３００の非汚染環境内に侵入する量を低減することができる。
【００１８】
図４は、ディスプレイ／キーボード用ベゼル３４０とレールシステム３２０との間の連結例を示す図である。ベゼル３４０をレールシステム３２０に組み入れると、Ｌ字型部材すなわちラッチ３３５が、レールシステム３２０に設けられた対応ラッチ受け切欠きおよび／または口部３３０に位置合わせされる。するとベゼル３４０は摺動自在にレールシステム３２０と係合する。したがって、モバイル端末３００を組み立てるには、このレールシステム３２０をモノコック型エンクロージャ３１０の開端部３１５内に入れ込む。ディスプレイ３４５を、接合コネクタ（図示せず）によりレールシステム３２０に連結する。次いで、ベゼル３４０をモノコック型エンクロージャ３１０上に配置して、ラッチ３３５がモノコック型エンクロージャ３１０のラッチ受け口部３１７内に挿入されるようにする。ベゼル３４０を摺動式に移動させて、ラッチ３３５をレールシステム３２０のラッチ受け切欠きおよび／または口部３３０としっかり係合させる。これにより、ラッチ３３５は、モノコック型エンクロージャ３１０の内側部分内にてラッチ受け切欠きおよび／または口部３３０と係合する。したがって、衝撃を受けた時点で筐体が外れる可能性は実質的に低くなる。ベゼル３４０およびレールシステム３２０を組み合わせた後、エンクロージャ３１０の底部から張力として作用するネジ３６０（図３）でレールシステム３２０をモノコック型エンクロージャ３１０に固定することにより、モバイル端末筐体３００をさらに強化する。ベゼル３４０およびレールシステム３２０の取外しは、ラッチ３３５と接合している切欠きおよび／または口部３３０との間の係合を摺動式に外すことにより行うことができる。
【００１９】
ここで図５を参照すると、組み立てられた状態のハンドヘルド型モバイル端末３００の斜視図が示されている。この携帯装置は、携帯式であり、本発明にしたがって中に電子回路構成要素を有する他のいかなる装置でもよいことを理解されたい。例えば、この携帯装置を、ラップトップ型コンピュータやノート型コンピュータ、ＰＤＡ、または携帯電話やページャとすることが可能である。このモバイル端末３００は、タッチスクリーンなどのディスプレイ３４５と、１組のユーザインターフェースキー３６５とを含む。タッチスクリーン３４５もユーザインターフェースキー３６５も、ユーザが情報および／または操作指示を入力できるようにするために使用できるものである。タッチスクリーン３４５はさらに、ユーザに情報を表示するために使用され、これに、容量式、抵抗タッチ式、赤外線式、表面弾性波式、または接地弾性波式技術を用いることができる。ユーザインターフェースキーに、全英数字キーパッド、ファンクションキー、エンターキーなどを含めることができる。モバイル端末３００の筐体は一般に、ユーザが掌を開くとその中に好都合に入り込む外形を含む細長いエンクロージャによるものである。この筐体は、モノコック型エンクロージャ３１０と、レールシステム３２０と、ベゼル３４０とを含む。スピーカ３５５も、音声情報をユーザとの間で送信かつ／または受信するように、これに含めることができる。
【００２０】
モバイル端末３００にはまた、モバイル端末３００に提示されるバーコードラベルなどをバーコードリーダが読み取ることのできるウィンドウ（図示せず）を設けることができる。モバイル端末３００に、バーコードの読取が適切か不適切かを映すために照明されるＬＥＤ（図示せず）を含めることができる。別法として、またはこれに加えて、スピーカから音を出力して、バーコードが首尾よく画像処理および復号されたことをユーザに知らせてもよい。
【００２１】
上述した構造上および機能上の特徴を考慮すると、本発明のさまざまな態様による方法論を、図６および図７を参照しながらよりよく理解できるであろう。説明を簡単にするため、図６および図７の方法論を実行する順序で図示および説明するが、本発明による態様によっては、別の順序で、かつ／または本明細書内で図示および説明したものとは別の態様と同時に実行することも可能であるため、本発明がこの順序に限定されるものではないことを理解されたい。また、例示した特徴のすべてが、本発明の態様による方法論の実施に必要でない場合もある。
【００２２】
ここで図６を見ると、堅牢なハンドヘルド型モバイル端末を製造するための方法論６００が例示されている。この方法論は、６１０にて、プラスチックおよび／または金属などの適した構造材料のいずれかでモノコック型エンクロージャを製造するところから開始される。このモノコック型エンクロージャは、モバイル端末用の回路構成要素を受けるための実質的に開いた端部と、ラッチを受けるための口部とを含む。６２０にて、このエンクロージャの実質的に開いた端部内に挿入できるように、レールシステムを製造する。このレールシステムは、モノコック型エンクロージャに形成された口部に対応するラッチ受け切欠きおよび／または口部を含む。次に６３０では、ディスプレイ用、任意にキーボード用の開口を設けたベゼルを製造する。このベゼルは、レールシステムに設けたラッチ受け切欠きおよび／または口部に連結するラッチを含む。同様に、レールシステムおよびベゼルを、適した構造材料であればいずれで製造してもよい。
【００２３】
図７は、堅牢なハンドヘルド型モバイル端末用筐体を組み立てる方法論を示すものである。この方法論は、７１０にて、モノコック型エンクロージャを準備するところから開始される。このモノコック型エンクロージャは、プラスチックおよび／または金属などの適した材料であればいずれでも製造することができる。モノコック型エンクロージャは、実質的に開いた端部およびラッチ口部を含む。７２０にて、モノコック型エンクロージャの開いた端部内にレールシステムを入れる。このレールシステムは、モバイル端末を操作するためにその上に取り付けられる回路構成要素を含む。７３０にて、このレールシステムに、接合コネクタによりディスプレイが連結される。次いで７４０にて、このアセンブリ上にベゼルが装着され、ベゼルのラッチがモノコック型エンクロージャのラッチ口部内に挿入される。７５０にて、レールシステムのラッチ受け切欠きおよび／または口部にラッチを摺動自在に係合させる。７６０にて、ネジまたはこの他のあらゆる適した留め具を取り付けて、モノコック型エンクロージャとレールシステムとの連結を強化し、このアセンブリの硬性をさらに高める。
【００２４】
本明細書内に記載した本発明による堅牢なハンドヘルド型モバイル端末の設計が広範な利用性を有することを理解されたい。この設計を、例えばさまざまなタイプの商業用および工業用電子装置（例えば、コンピュータ、携帯情報端末、カメラ、電子ゲームなど）に用いることが可能である。さらに、本発明による方法論を、こうした装置に関連する堅牢な筐体の製造に付随する工程と併用することが可能である。また、本発明の範囲があらゆる携帯型電子装置を含むものとされていることを理解されたい。
【００２５】
以上、説明してきた内容は、本発明を実施する例を含むものである。無論、本発明を説明しようとして考えられるあらゆる構成要素や方法論の組合せを説明することは不可能であるが、当業者であれば、上述以外にも本発明に対して数多くの組合せおよび並び換えが可能であることは明白であろう。したがって、本発明は、請求の範囲に記載されている趣旨および範囲内である変更、修正および変形のすべてを含むものとする。
【図面の簡単な説明】
【００２６】
【図１】従来のハンドヘルド型モバイル端末筐体を例示する図である。
【図２】本発明の一態様による堅牢なハンドヘルド型モバイル端末設計の概略ブロック図である。
【図３】本発明の一態様による堅牢なハンドヘルド型モバイル端末筐体の分解図である。
【図４】本発明の一態様による堅牢なハンドヘルド型モバイル端末の筐体部品の斜視図である。
【図５】本発明の一態様による堅牢なハンドヘルド型モバイル端末設計の斜視図である。
【図６】本発明の一態様による堅牢なハンドヘルド型モバイル端末を製造する方法論を例示する図である。
【図７】本発明の一態様によるハンドヘルド型モバイル端末を組み立てる方法論を例示する図である。
【図１】
2006512672.tif 000003
【図２】
2006512672.tif 000004
【図３】
2006512672.tif 000005
【図４】
2006512672.tif 000006
【図５】
2006512672.tif 000007
【図６】
2006512672.tif 000008
【図７】
2006512672.tif 000009
【国際調査報告】
2006512672.tif 000010